(57)【要約】【課題】電子装置の音量を増大することができるスピーカーモジュール及びこのようなスピーカーモジュールを用いた電子装置を提供すること。【解決手段】本発明に係るスピーカーモジュールは、スピーカー機能部、吸着部品及び共鳴スリーブを備える。共鳴スリーブは、共鳴キャビティ及び共鳴キャビティと連通する音放出孔を含み且つ吸着部品に固定され、共鳴スリーブ、吸着部品及びスピーカー機能部は、互いに連通し、スピーカー機能部が発する音は、吸着部品を介して共鳴スリーブの中に入り、且つ共鳴キャビティの中で共鳴された後、音放出孔を介して外へ伝播される。【選択図】図４
2015130651.tif 000002
【特許請求の範囲】
【請求項１】
スピーカー機能部、吸着部品及び共鳴スリーブを備えるスピーカーモジュールであって、前記共鳴スリーブは、共鳴キャビティ及び前記共鳴キャビティと連通する音放出孔を含み、且つ前記吸着部品に固定され、
前記共鳴スリーブ、前記吸着部品及び前記スピーカー機能部は、互いに連通し、前記スピーカー機能部が発する音は、前記吸着部品を介して前記共鳴スリーブの中に入り、且つ前記共鳴キャビティの中で共鳴された後、前記音放出孔を介して外へ伝播されることを特徴とするスピーカーモジュール。
【請求項２】
前記共鳴スリーブは、天井壁及び互いに連接されている複数の側壁を含み、前記複数の側壁は、それぞれ前記天井壁の周縁部から一方側に向かって延伸し、前記音放出孔は、１つの側壁に設けられ、前記複数の側壁と前記天井壁は、共同で前記共鳴キャビティを構成することを特徴とする請求項１に記載のスピーカーモジュール。
【請求項３】
前記吸着部品は、固定部及び吸着部をさらに備え、前記固定部には、固定用スロットが設けられ、前記共鳴スリーブの複数の側壁の末端は、前記固定用スロット内にそれぞれ固定され、前記吸着部には、電子装置と吸着固定するための吸着用スロットが設けられていることを特徴とする請求項２に記載のスピーカーモジュール。
【請求項４】
前記共鳴スリーブは、一体に連接された第一筒状体及び第二筒状体を含み、前記第一筒状体は、前記吸着部品に固定されることを特徴とする請求項１に記載のスピーカーモジュール。
【請求項５】
前記第一筒状体は、複数の側壁を含み、１つの側壁には、第一音放出孔が設けられ、前記第二筒状体は、前記第一筒状体の前記第一音放出孔を有する側壁に連接されていることを特徴とする請求項４に記載のスピーカーモジュール。
【請求項６】
前記第一筒状体には、第一共鳴キャビティが形成され、前記第二筒状体には、第二共鳴キャビティが形成され、前記第二共鳴キャビティは、前記第一音放出孔を介して前記第一共鳴キャビティと連通することを特徴とする請求項５に記載のスピーカーモジュール。
【請求項７】
前記第二筒状体は、端壁及び複数の側壁を含み、前記端壁には、前記第二共鳴キャビティと連通する第二音放出孔が設けられ、前記複数の側壁の一端は、前記端壁に連接され、前記複数の側壁の他端は、前記第一筒状体の天井壁及び側壁にそれぞれ連接されることを特徴とする請求項５に記載のスピーカーモジュール。
【請求項８】
カバー及びスピーカーモジュールを備える電子装置であって、
前記スピーカーモジュールは、スピーカー機能部、吸着部品及び共鳴スリーブを備え、前記カバーには、貫通孔が設けられ、前記スピーカー機能部は、前記貫通孔の位置に対応して前記カバーの一方側に装着され、前記吸着部品は、前記カバーにおける前記スピーカー機能部の他方側に固定され、
前記共鳴スリーブは、共鳴キャビティ及び前記共鳴キャビティと連通する音放出孔を含み、且つ前記吸着部品に固定され、
前記共鳴スリーブ、前記吸着部品及び前記スピーカー機能部は、互いに連通し、前記スピーカー機能部が発する音は、前記吸着部品を介して前記共鳴スリーブの中に入り、且つ前記共鳴キャビティの中で共鳴された後、前記音放出孔を介して外へ伝播されることを特徴とする電子装置。
【請求項９】
前記カバーは、対向して配置された第一表面及び第二表面を備え、前記第一表面の一方側には、前記電子装置の内部に向かって凹んで形成された収容空間を有し、前記スピーカー機能部は、前記収容空間内に装着され、前記吸着部品は、前記第二表面に吸着して固定される吸着部をさらに備えることを特徴とする請求項８に記載の電子装置。
【発明の詳細な説明】
【技術分野】
【０００１】
本発明は、スピーカーモジュール及びこのスピーカーモジュールを備えた携帯式電子装置に関するものである。
【背景技術】
【０００２】
携帯電話機、タブレットパソコン等の電子装置は、通常そのハウジングの内部にスピーカーモジュールが装着されている。ユーザは、電子装置の音量キーを操作することによりスピーカーの音量を増大することができる。しかし、ユーザが騒がしい環境の中で電話を掛ける場合、電子装置の音量を最大にしても、相手側の声がはっきりと聞こえない場合がある。
【発明の概要】
【発明が解決しようとする課題】
【０００３】
そこで、本発明は、以上の問題点に鑑みてなされたものであり、電子装置の音量を増大することができるスピーカーモジュール及びこのスピーカーモジュールを用いた電子装置を提供することを目的とする。
【課題を解決するための手段】
【０００４】
上記の課題を解決するために、本発明に係るスピーカーモジュールは、スピーカー機能部、吸着部品及び共鳴スリーブを備える。共鳴スリーブは、共鳴キャビティ及び共鳴キャビティと連通する音放出孔を含み且つ吸着部品に固定され、共鳴スリーブ、吸着部品及びスピーカー機能部は、互いに連通し、スピーカー機能部が発する音は、吸着部品を介して前記共鳴スリーブの中に入り、且つ共鳴キャビティの中で共鳴された後、音放出孔を介して外へ伝播される。
【０００５】
また、上記の課題を解決するために、本発明に係る電子装置は、カバー及びスピーカーモジュールを備え、スピーカーモジュールは、スピーカー機能部、吸着部品及び共鳴スリーブを備え、カバーには、貫通孔が設けられ、スピーカー機能は、貫通孔の位置に対応してカバーの一方側に装着され、吸着部品は、カバーにおけるスピーカー機能部の他方側に固定され、共鳴スリーブは、共鳴キャビティ及び共鳴キャビティと連通する音放出孔を含み且つ吸着部品に固定され、共鳴スリーブ、吸着部品及びスピーカー機能部は、互いに連通し、スピーカー機能部が発する音は、吸着部品を介して共鳴スリーブの中に入り、且つ共鳴キャビティの中で共鳴された後、音放出孔を介して外へ伝播される。
【発明の効果】
【０００６】
従来の技術と異なり、本発明のスピーカーモジュールは、共鳴スリーブを備える。共鳴スリーブは、吸着部品を介して、電子装置のスピーカー機能部に対応して電子装置のカバーに吸着して固定される。スピーカー機能部が発する音は、カバーに設けられた貫通孔及び吸着部品を介して共鳴スリーブの共鳴キャビティ内に入り、且つ共鳴キャビティの内部で共鳴されて増大される。従って、本発明のスピーカーモジュールは、構造が簡単であり、装着し易く、且つ音量をより良く増大することができる。
【図面の簡単な説明】
【０００７】
【図１】本発明の第一実施形態に係るスピーカーモジュールが電子装置に装着されている状態を示す図である。
【図２】図１に示した電子装置のＩＩ−ＩＩ線に沿った断面図である。
【図３】本発明の第二実施形態に係るスピーカーモジュールが電子装置に装着されている状態を示す図である。
【図４】図３に示した電子装置のＩＶ−ＩＶ線に沿った断面図である。
【発明を実施するための形態】
【０００８】
図１及び図２に示すように、本発明の第一実施形態に係るスピーカーモジュール５０は、電子装置２００に装着されて、電子装置２００がハンズフリー状態にある場合の音量を増大する役割を果たす。電子装置２００の例としては、ノートパソコン、携帯電話機、タブレットパソコンや携帯情報端末（ＰＤＡ）等が挙げられる。
【０００９】
スピーカーモジュール５０は、スピーカー機能部１０、吸着部品２０及び共鳴スリーブ３０を備える。共鳴スリーブ３０は、吸着部品２０の上端に固定されている。吸着部品２０及び共鳴スリーブ３０は、スピーカー１０と互いに連通している。
【００１０】
電子装置２００は、バックカバー２１０及びフロントカバー２３０を備える。バックカバー２１０は、互いに反対側に位置する第一表面２１１及び第二表面２１３を備える。バックカバー２１０の一端は、第一表面２１１からフロントカバー２３０に向かって凹んで形成された収容空間２５０を有する。スピーカー機能部１０は、収容空間２５０内に装着されている。吸着部品２０及び共鳴スリーブ３０は、第二表面２１３上に設けられている。バックカバー２１０におけるスピーカー機能部１０に対応する箇所には、第一表面２１１と第二表面２１３とを連通する貫通孔２１５がさらに設けられている。スピーカー機能部１０が発する音は、貫通孔２１５を通過して吸着部品２０及び共鳴スリーブ３０内に伝導される。
【００１１】
本実施形態において、吸着部品２０は、ゴムにより製造された中空の吸盤であり、中空部２１と、中空部２１の両端にそれぞれ設けられた吸着部２３と、固定部２５と、を備える。吸着部２３には、吸着用スロット２３１が設けられている。吸着部品２０は、この吸着用スロット２３１によって電子装置２００の第二表面２１３に吸着固定される。固定部２５には、共鳴スリーブ３０を固定するための固定用スロット２５１がそれぞれ設けられている。
【００１２】
共鳴スリーブ３０は、ほぼ一端が開口し、他端が閉鎖している中空の構造であり、且つ天井壁３１及び四つの側壁３３を含む。四つの側壁３３は、弧状に屈曲した角部を形成するように互いに連接され、且つそれぞれ天井壁３１の周縁部に連接されて、天井壁３１と共同で共鳴キャビティ３５を構成する。スピーカー機能１０からの音は、共鳴キャビティ３５の内部で共鳴されて、音量が増大される。１つの側壁３３には、共鳴キャビティ３５と連通する１つの音放出孔３３１が設けられている。共鳴された音は、この音放出孔３３１を介して共鳴キャビティ３５の外へ伝播される。
【００１３】
共鳴スリーブ３０を吸着部品２０に固定する場合、共鳴キャビティ３５と中空部２１との位置を合わせた後、嵌合又は接着の方法によって、四つの側壁３３の末端を固定部２５の固定用スロット２５１内に収容して固定させる。
【００１４】
スピーカーモジュール５０を電子装置２００に装着する場合、先ずスピーカー機能部１０を貫通孔２１５に対応させるように、バックカバー２１０の内側の収容空間２５０内に装着する。続いて、共鳴スリーブ３０を吸着部品２０に固定する。最後に、吸着部品２０の中空部２１をバックカバー２１０の貫通孔２１５の位置に対応してセットした後、吸着部品２０を下方へ押圧して、吸着用スロット２３１内の空気を外部へ排出させて、外界の大気圧の圧力によって、吸着部品２０を電子装置２００のバックカバー２１０の第二表面２１３に吸着させる。この時、中空部２１及びスピーカー機能部１０は、貫通孔２１５の対向する両側にそれぞれ位置する。
【００１５】
スピーカーモジュール５０が電子装置２００に装着された後、ユーザが電話を掛ける時、ハンズフリー通話機能を起動させると、音はスピーカーモジュール５０のスピーカー機能部１０から放出され、且つ貫通孔２１５及び中空部２１を順次に経由して共鳴キャビティ３５内に入り、共鳴キャビティ３５の内部で共鳴された後、音放出孔３３１を介して共鳴スリーブ３０の外へ伝播される。これにより、ユーザは、増大された後の通話音を聞くことができる。
【００１６】
図３及び図４に示すように、本発明の第二実施形態に係るスピーカーモジュール１００は、第一実施形態に記載のスピーカーモジュール５０と異なる。つまり、第二実施形態に係るスピーカーモジュール１００の共鳴スリーブ８０の構造と、第一実施形態に記載の共鳴スリーブ３０の構造とが異なる。スピーカーモジュール１００は、主に電子装置２００が音楽を再生する時の音量を増大するために用いられる。
【００１７】
具体的には、スピーカーモジュール１００は、スピーカー機能部６０、吸着部品７０及び共鳴スリーブ８０を備える。共鳴スリーブ８０は、吸着部品７０の一端に固定されている。吸着部品７０及び共鳴スリーブ８０は、スピーカー機能部６０と互いに連通している。
【００１８】
吸着部品７０の形状及び構造は、第一実施形態の吸着部品２０の形状及び構造と同じであり、中空部７１、吸着部７３及び固定部７５を備える。吸着部７３には、吸着用スロット７３１が設けられている。吸着部品７０は、吸着用スロット７３１によって、電子装置２００のバックカバーに吸着固定されている。固定部７５には、共鳴スリーブ８０を固定するための固定用スロット７５１が設けられている。
【００１９】
共鳴スリーブ８０は、第一筒状体８１及び第二筒状体８３を含む。第一筒状体８１は、吸着部品７０の固定部７５と互いに連接している。第二筒状体８３は、第一筒状体８１に連接されている。第一筒状体８１は、天井壁８１１及び四つの側壁８１３を含む。四つの側壁８１３は、弧状に屈曲した角部を介して互いに連接され、且つそれぞれ天井壁８１１の周縁部に連接されて、天井壁８１１と共同で第一共鳴キャビティ８１５を構成する。第一共鳴キャビティ８１５によって、スピーカー機能部６０からの音は共鳴されて、音量が増大される。共鳴スリーブ８０を吸着部品７０に固定する場合、四つの側壁８１３の一部を固定部７５の固定用スロット７５１内に収容して固定すれば良い。１つの側壁８１３には、第一共鳴キャビティ８１５と連通するための第一音放出孔８１７が設けられている。第一共鳴キャビティ８１５の内部で共鳴された音は、この第一音放出孔８１７を経由して第二筒状体８３内へ伝導される。
【００２０】
第二筒状体８３は、端壁８３１及び端壁８３１に連接された四つの側壁８３３を含む。第二筒状体８３の全体は、第一筒状体８１の側壁８１３から垂直に延伸する。四つの側壁８３３の中の１つは、第一筒状体８１の天井壁８１１と同一直線上に位置し、且つ天井壁８１１に連接されている。つまり、第一筒状体８１及び第二筒状体８３は、略９０度の角度を形成するように一体に連接されている。端壁８３１、四つの側壁８３３及び第一筒状体８１の側壁８１３は、共同で第二共鳴キャビティ８３５を構成する。第二共鳴キャビティ８３５及び第一共鳴キャビティ８１５は、第一音放出孔８１７を介して互いに連通している。第一共鳴キャビティ８１５から第二共鳴キャビティ８３５内へ伝導された音は、第二共鳴キャビティ８３５の中で再度共鳴される。さらに、第二筒状体８３の端壁８３１には、第二音放出孔８３７が設けられている。第二共鳴キャビティ８３５の中で共鳴された音は、この第二音放出孔８３７を通過して第二筒状体８３の外へ伝播される。
【００２１】
第二実施形態のスピーカーモジュール１００を電子装置２００に組み立てる場合のステップ及び方法は、第一実施形態のスピーカーモジュール５０を電子装置２００に組み立てる場合のステップ及び方法と同じである。スピーカーモジュール１００が電子装置２００に装着された後、ユーザは、電子装置２００の音楽再生機能を起動させる。この時、音楽は、スピーカー機能部６０から放出され、且つ貫通孔２１５及びキャビティ７１を介して共鳴スリーブ８０内に伝導される。第一共鳴キャビティ８１５と第二共鳴キャビティ８３５とが互いに連通されているため、音楽は、第一共鳴キャビティ８１５及び第二共鳴キャビティ８３５内で共鳴されて増大され、且つ第二音放出孔８３７を介して外界へ伝播される。これにより、ユーザは、第二音放出孔８３７を介して音量が増大された後の音楽を聴くことができる。
【００２２】
また、特定の周波数の声を共鳴させて、音量をさらに増大させるために、共鳴スリーブ３０及び共鳴スリーブ８０のサイズを必要に応じて変更することができる。
【００２３】
上記の記載から分かるように、本発明の第一実施形態のスピーカーモジュール５０及び第二実施形態のスピーカーモジュール１００の構造及び使用範囲はやや異なるが、それぞれ共鳴キャビティ３５及び８１５、８３５を介してスピーカー機能部１０、６０からの音を共鳴させて増大させることができる。また、本発明のスピーカーモジュール５０、１００は、使用に便利である。つまり、該スピーカーモジュール５０、１００を電子装置２００に組み立てる場合、共鳴スリーブ３０、８０を電子装置２００の貫通孔２１５に対応させるように、スピーカーモジュール５０、１００を電子装置２００に接着させるだけでよい。さらに、本発明のスピーカーモジュール５０、１００の音放出孔３３１、８３７は、スピーカーモジュール５０、１００の側面に設けられているので、遮られ難く、より良く音量を増大することができる。
【符号の説明】
【００２４】
２００  電子装置
２１０  バックカバー
２１１  第一表面
２１３  第二表面
２１５  貫通孔
２３０  フロントカバー
２５０  収容空間
５０、１００  スピーカーモジュール
１０、６０  スピーカー機能部
２０、７０  吸着部品
２１、７１  中空部
２３、７３  吸着部
２３１、７３１  吸着用スロット
２５、７５  固定部
２５１、７５１  固定用スロット
３０、８０  共鳴スリーブ
３１  天井壁
３３  側壁
３５  共鳴キャビティ
３３１  音放出孔
８１  第一筒状体
８１１  天井壁
８１３  側壁
８１５  第一共鳴キャビティ
８１７  第一音放出孔
８３  第二筒状体
８３１  端壁
８３３  側壁
８３５  第二共鳴キャビティ
８３７  第二音放出孔
【図１】
2015130651.tif 000003
【図２】
2015130651.tif 000004
【図３】
2015130651.tif 000005
【図４】
2015130651.tif 000006